(57)【要約】  グレースケールが可能なディスプレイの駆動スキームを記載する。複数の２レベルパルスを動的弛緩技法と組み合わせて用いて、画素ＯＮ又はＯＦＦを書き込み、画素のグレーレベルを調節する。２つの電圧レベル、最大レベルＵ及び最小レベル０のみを用いる。これにより、電気回路の複雑さを低減し、結果としてディスプレイにたった一つの電源発生器のみを必要とする。
2007537488.tif 000002
【特許請求の範囲】
【請求項１】
第1の複数の電極と第2の複数の電極との間に配置された増分反射率特性、画素を形成する該第1の複数の電極と第2の複数の電極との交差を有する双安定液晶材料のアドレッシング方法であって、該アドレッシング方法は：
該第1の複数の電極に第1の数のパルスを印加すること；そして
該第2の複数の電極に第2の数のパルスを印加すること、該パルスのそれぞれが異なる周波数を有する（ここで各パルスはUの二乗平均平方根値を有する）
ことを含んで成る。
【請求項２】
該パルスの第1の数と第2の数とが同じである、請求項1に記載の方法。
【請求項３】
該パルス数のうちの2つ以上が同じ周波数を有する、請求項1に記載の方法。
【請求項４】
該パルス数のうちの2つ以上が同じ周波数を有する、請求項2に記載の方法。
【請求項５】
該液晶材料がホメオトロピック状態から一時プレーナー状態へ弛緩している間に、該第1の複数のパルスと該第2の複数のパルスとが印加される、請求項1に記載の方法。
【請求項６】
第1の複数の電極と第2の複数の電極との間に配置された増分反射率特性、画素を形成する該第1の複数の電極と第2の複数の電極との交差を有する双安定液晶材料のアドレッシング方法であって、該アドレッシング方法は：
該第1の複数の電極に多数のパルスを印加すること；そして
該第2の複数の電極に同数のパルスを印加すること、ここで該パルス数のうちの2つ以上が同じ周波数を有する
ことを含んで成る。
【請求項７】
各パルスがUの二乗平均平方根値を有する、請求項6に記載の方法。
【請求項８】
第1の複数の電極と第2の複数の電極との間に配置された増分反射率特性、画素を形成する該第1の複数の電極と第2の複数の電極との交差を有する双安定液晶材料上にグレースケールを形成する方法であって、該方法は：
該第1の複数の電極に第1の数のパルスを印加すること；そして
該第2の複数の電極に第2の数のパルスを印加すること、ここで各パルスが同じ電圧を有する
ことを含んで成る。
【請求項９】
該パルスの第1の数と第2の数とが同じである、請求項8に記載の方法。
【請求項１０】
該パルス数のうちの2つ以上が同じ周波数を有する、請求項8に記載の方法。
【発明の詳細な説明】
【技術分野】
【０００１】
コレステリック(キラル・ネマティック)液晶ディスプレイの高速グレースケール書き込みを可能にする電気的な駆動スキームを提供する。
【背景技術】
【０００２】
電子的に変調される表面、例えば液晶ディスプレイ(LCD)上に、情報を表示することができる。このようなディスプレイは、標識、棚ラベル、又は大型ディスプレイ、例えば広告板のために使用することができる。
【０００３】
種々のタイプのLCDが、当業者に知られている。フラットパネルLCDは、米国特許第5,503,952号明細書に記載されているように、2つの透明ガラス板を基板として使用することができる。このようなディスプレイは高価であり、また嵩高である。ネマティック液晶材料を使用するフレキシブルな電子書き込み型ディスプレイ・シートが、米国特許第4,435,047号明細書に開示されている。シートは薄いガラス、又はポリマー、例えばマイラーポリエステルであってよい。ネマティック液晶は、透明であり続けるためには、連続して電気を流すことを必要とする。米国特許第5,437,811号明細書に開示された光変調セルは、パターン化されたガラス基板によって含有された高分子ドメイン内にキラル・ネマティック液晶(コレステリック液晶、又はChLC)を有する。キラル・ネマティック液晶は、特定の光可視波長を反射させるプレーナー状態と、光を散乱させるフォーカルコニック状態との間で駆動させられるという特性を有する。これら2つの状態は安定であり、そして電場の不存在において維持することができる。このことはより大きいディスプレイを可能にする。
【０００４】
液晶ディスプレイとともに用いるための種々の駆動スキームが知られている。例えば、米国特許第5,251,048号明細書及び同第5,644,330号明細書に開示されている駆動方法は、安定な状態間でキラル・ネマティック材料を切り換えるためのものである。しかし、これらのディスプレイの更新速度は、ディスプレイのライン1本当たり10〜40ミリ秒である。この速度はたいていの実際的な用途にとってあまりにも遅い。例えば1000ライン・ディスプレイを更新するには、10〜40秒かかる。米国特許第5,748,277号明細書及び同第6,154,190号明細書は、キラル・ネマチック・ディスプレイのための動的駆動スキームと呼ばれる高速駆動スキームが開示されている。記載された動的駆動スキームは、図1Aに示されているように、準備ステップ1、選択ステップ2、及び旋回ステップ3を含み、そして任意にはさらに、図1Bに示されているように、保持前ステップ4と保持後ステップ5とを含む。これらの駆動スキームは、複雑な電子駆動回路を必要とする。例えば、ディスプレイのための全ての列ドライバー及び行ドライバーは、双極性且つ複数レベルの電圧を出力しなければならない。駆動スキームの結果、画像書き込み中に、ディスプレイを横切ってシフトする望ましくない黒い棒が出現する。米国特許第6,268,840号明細書には、上述の動的駆動スキームを実施する単極波形駆動方法が開示されている。しかし、準備ステップ、選択ステップ、及び旋回ステップはそれぞれ相異なる電圧振幅を必要とするので、列ドライバー及び行ドライバーは両方とも、複数レベルの単極電圧を発生させることが必要となる。
【０００５】
Simple Drive Scheme for Bistable Cholesteric LCDs, SID 2001,第882〜885頁、及びDynamic Drive Scheme for Fast Addressing of Cholesteric Displays, SID 2000, 第818〜821頁には、Rybalochka他がU/√2動的駆動スキームを記載している。U/√2動的駆動スキームは、図1C及び図1Dに示されているように、U又は0電圧を出力する2レベル列ドライバー及び2レベル行ドライバーを必要とする。フォーカルコニック状態又はプレーナー状態を作り出すこれらの駆動スキームは、書き込み中に望ましくないシフトする黒い棒を形成することはないが、しかし、フレーム全体を書き込み中に黒くする。
【０００６】
米国特許出願公開第2002/0109661号明細書に開示された、グレースケール双安定コレステリック反射ディスプレイのための駆動スキームは、可変の周波数パルスを利用する。このアドレッシング方法は、第1の複数の電極に所定数のパルスを印加し、そして、第2の複数の電極に同様の数の所定数のパルスを印加することを含む。所定数のパルスのそれぞれは、異なる周波数を有しており、所定数のパルスは、設定時間以内に印加される。この開示内容は、複数の電圧源、並びに複数レベルのディスプレイ・ドライバーを利用する。このことは、電源及びディスプレイ・ドライバーに対するコストや複雑さを増大させる。
【０００７】
米国特許出願公開第2003/0085863号明細書に開示された動的駆動スキームの場合、複数の電圧を用いて一時プレーナー状態と安定プレーナー状態との間の液晶にパルスを供給することにより、ディスプレイをフォーカルコニック状態に駆動する。3つ以上の電圧を用いて、駆動スキームに適した波形を誘導する。グレースケール・ディスプレイに適用されるものとして駆動スキームを使用することが開示されている。
【発明の開示】
【発明が解決しようとする課題】
【０００８】
2レベル電圧駆動方法を用いて複数グレーレベルのグレースケールを達成することができる、コレステリック液晶ディスプレイのための、シンプルで低コストで、しかも高速の駆動スキームのニーズがある。
【課題を解決するための手段】
【０００９】
双安定液晶材料ディスプレイ上にグレースケールを形成する方法を提供する。この方法は、第1の複数の電極に第1の数のパルスを印加し、そして第2の複数の電極に第2の数のパルスを印加することを含み、各パルスは同じ電圧を有する。
【発明の効果】
【００１０】
低コストで効果的な、しかも高速のグレースケール動的駆動スキームを提供し、行ドライバー及び列ドライバーの双方が電圧出力を2つしか、つまりU又は0しか必要としない。このことは電力供給量及び複雑さの要件を低減する。
【発明を実施するための最良の形態】
【００１１】
液晶ディスプレイのための、低コストで効果的な、しかも高速のグレースケール動的駆動スキームについて説明する。駆動スキームにおいて、行ドライバー及び列ドライバーは両方とも電圧出力を2つしか、つまりU又は0しか必要としない。このことは電力供給量及び複雑さの要件を低減する。
【００１２】
本明細書全体を通して使用される「行電圧」は、U行と呼ばれ、また「列電圧」は、U列と呼ばれる。U行及びU列は同じであっても異なっていてもよい。ただし、U行及びU列は両方とも本明細書中ではUと呼ぶこともできる。
【００１３】
図2は、コレステリック液晶ディスプレイ10の構造例を示す。ディスプレイは基板15を含むことができる。基板はガラス、ポリマー、又は他の好適な材料であってよい。例えば基板15は、薄い透明高分子材料、例えばポリエステル・プラスチック、例えばKodak Estarフィルムベース、又はポリカーボネートであってよい。基板は透明であってよい。基板の厚さは20〜200ミクロン、例えば125ミクロンであってよい。
【００１４】
第1パターン化導体20の形態を成す電極を、基板15上に形成することができる。第1パターン化導体20は、任意の導電性材料、例えば銅、アルミニウム、又はニッケルであってよい。第1パターン化導体20が不透明材料である場合、その材料は第1パターン化導体20が光吸収性であるように、金属酸化物であってよい。第1パターン化導体20は酸化錫又は酸化インジウム錫(ITO)であってよい。第1パターン化導体20の材料は、任意の好適な技術、例えばコーティング、印刷、蒸着又は薄膜堆積、又はスパッタリングによって、基板15上の層として形成することができる。層は、フォトリソグラフィ、スカイビング、レーザー・エッチング、化学エッチングによって、任意の周知の様式で第1パターン化導体20を形成するように、パターニングすることができる。第1パターン化導体20の抵抗は、250オーム/スクエア未満であることが可能である。
【００１５】
第1パターン化導体20には、光変調材料30、例えばポリマー分散型コレステリック材料が被さることができる。ポリマー分散型コレステリック層30は、コレステリック液晶材料が分散された高分子ホスト材料、例えばE.M. Industries of Hawthorne, N.Y.から入手可能なMerck BL112、BL118、又はBL126、或いは米国特許第5,695,682号明細書に開示された材料を含むことができる。種々の振幅及び継続時間の電場を印加すると、キラル・ネマティック材料を反射状態、透過状態、又は中間状態に駆動することができる。これらのコレステリック材料の利点は、電場が除去された後、無期限に所与の状態を維持できることである。
【００１６】
高分子ホスト材料は、脱イオン化写真ゼラチン又は別の有機バインダー、例えばポリビニルアルコール(PVA)又はポリエチレンオキシド(PEO)であることが可能である。液晶材料は脱イオン化ゼラチン中に分散することができる。例えば、8%濃度の液晶材料、例えばBL118を5%脱イオン化ゼラチン水溶液中に分散させることにより、水性懸濁液中に液晶のドメインを形成することができる。この分散体30はパターン化第1導体20上にコーティングすることができる。写真フィルムと関連する設備を含む周知の方法によって、パターン化第1導体20上に分散体をコーティングすることができる。
【００１７】
第2パターン化導体40の形態を成す電極が、ポリマー分散型コレステリック層30に被さることができる。使用中、第2パターン化導体40には、ポリマー分散型コレステリック層30を横切る電場を確立するのに十分な導電性を供給することができる。真空蒸着のような当業者に知られた手段によって、アルミニウム、銀、白金、炭素、タングステン、モリブデン、錫、インジウム、又はこれらの組み合わせのような材料を使用して、第2パターン化導体40を形成することができる。金属の酸化物を使用して、暗くされた第2パターン化導体40を形成することにより、光を吸収することができる。酸化錫又は酸化インジウム錫コーティングは、第2パターン化導体40が透明であることを可能にする。電極20及び40は層30の互いに対向する側に位置しており、それぞれ行及び列を形成することができる。行と列との交差は、電場を印加するための画素を画定する。
【００１８】
第2パターン化導体40は、導電性インク、例えばAcheson Corporationのスクリーン印刷可能な導電性材料Electrodag 423SSを印刷することにより、形成することができる。このような印刷された材料は、熱可塑性樹脂中の微粉砕グラファイト粒子である。第2パターン化導体40は、ディスプレイのコストを低減するために、印刷されたインクを使用して形成することができる。基板15のためのフレキシブルな支持体、第1パターン化導体20を形成するためのレーザー・エッチング材料、ポリマー分散型コレステリック層30をコーティングし第2パターン化導体40を印刷する機械を使用することによってディスプレイ10を形成すると、ディスプレイ製作コストは極めて低くなる。
【００１９】
図3A及び3Bは、コレステリック液晶の2つの安定状態を示す。図3Aにおいて、高電圧の場が印加され、即座にゼロ電位に切り換えられている。このことは、初期状態とは無関係に、コレステリック液晶をプレーナー状態22に変換する。プレーナー状態22においてコレステリック液晶に衝突する特定の波長及び偏光を有する入射光26が、反射光28として反射させられ、明るい画像を形成する。図3Bにおいて、より低い電圧の場を印加すると、コレステリック液晶は、初期状態とは無関係に、透明フォーカルコニック状態24のままになる。フォーカルコニック状態24においてコレステリック液晶に衝突する入射光26は前方に向かって散乱させられる。第2パターン化導体40を黒くすることにより、液晶材料がフォーカルコニック状態24にあるときに、前方に向かって散乱させられる光27を吸収し、そして暗い画像を形成することができる。結果として、観察者は、コレステリック材料がプレーナー状態22にあるか又はフォーカルコニック状態24にあるかに応じて、それぞれ明るい画像又は暗い画像を知覚する。コレステリック液晶材料はまた、コレステリック材料の一部がプレーナー状態22にあり、残りの部分がフォーカルコニック状態24にあるときに、複数の反射状態又はテクスチャーを表示する。観察者は、液晶材料の密接間隙領域(「ドメイン」)が異なる反射状態を表示するように操作されると、グレーレベル画像を知覚することができる。複数のドメインが1画素を形成する。図3Cにおいて、高い電圧が印加されたとき、コレステリック液晶はホメオトロピック状態25にある。ホメオトロピック状態25にあるコレステリック液晶を照らす入射光26は、透過光29として透過される。
【００２０】
図3Dは、種々の駆動電圧が印加された後の液晶材料の状態を示している。液晶材料は、第1の状態、つまり図3Aに示された反射性プレーナー状態22、又は図3Bに示された非反射性フォーカルコニック状態24で始まることができ、そして、図3Dに示されているように、V4を上回る二乗平均平方根(RMS)振幅を有するAC電圧で駆動することができる。電圧が即座に除去されると、液晶材料は反射状態に切り換わり、反射性のままとなる。V2とV3との間のAC電圧で駆動されると、材料は、非反射性状態に切り換わり、そして第2駆動電圧の印加までこの状態のままとなる。電圧が印加されないと、又は電圧が十分にV1未満であると、材料は初期状態とは無関係に、状態を変化させることはない。V1未満の電圧の印加は、光学効果を形成するが、しかし、材料の状態の切り換えを引き起こすことはない。
【００２１】
駆動スキームは、2つの電圧レベルだけ、すなわちU又は0だけを有するパルス列を使用することができる。駆動スキームのために1つの電圧において1つの電圧源を使用することができる。駆動スキームに応じてコレステリック液晶ディスプレイを駆動するために、行又は列に対して異なる電圧レベルを有するパルス列を発生させる回路及びシステムがよく知られている。その例は、米国特許第6,154,190号明細書及び同第6,268,840号明細書に記載されたものを含む。これらの回路及びシステムは、2つの電圧レベルを供給する単一の電圧源とともに使用するように適合させることができる。
【００２２】
図4は、電圧発生器195に電力を提供する電源190を有するディスプレイ・システムを示している。電源の例は、バッテリー、太陽電池、AC電源又はその他の手段を含むことができる。電圧発生器195は、電源からの電力を使用可能な電圧、例えばU、及び種々のシステム回路に電力供給するのに必要となるその他の電圧に変換することに関与する。データ・インターフェース150は、外部源からの情報を受信する。情報は、ディスプレイ10が書き込みプロセス後に示すものの詳細を含有することができる。コントローラー155は、データ・インターフェース150からのデータを受信することにより、ディスプレイを駆動するように、第1パターン化導体20及び第2パターン化導体40に提供されるべき正しい電圧波形を決定する。電圧発生器195から、行ドライバー160及び列ドライバー185に電圧Uを供給することができる。電圧U又は0Vは、行ドライバー160及び列ドライバー185の各出力において、コントローラー155によって選択可能である。コントローラー155は、正しい制御信号、並びに所望の波形の正しいタイミングを行ドライバー160及び列ドライバー185に供給することに関与することができる。行ドライバー160及び列ドライバー185の出力は、それぞれ第1パターン化導体20及び第2パターン化導体40に相互接続部167を介して送られる。
【００２３】
図5は、図4と同様のディスプレイ・システムを示しているが、図5では、第1パターン化導体20及び第2パターン化導体40を共通のドライバーから駆動することができる。パターン化導体20及び40双方のセットを2つの電圧、つまり0V及びUで駆動することができるので、共通のドライバーを利用することができる。このことはシステムのコストを低減することができる。
【００２４】
図6は、駆動スキームの相ダイヤグラムである。駆動スキームは先ず、準備相60中にディスプレイ全体に準備波形を印加する。準備波形は、前に書き込まれた状態とは無関係に、ディスプレイ10のコレステリック液晶（ChLC）をホメオトロピック状態にリセットする。準備時間（Tprep）後、駆動スキームは、選択前相70、選択相80、及び選択後相90を同時に実施する。
【００２５】
まだアドレッシングされていない第1パターン化導体20は、選択前相70にあると言われ、この場合、電圧波形は、合成RMS電圧U/√2を有する50%デューティ・サイクルで印加される。ChLCのヒステリシスに基づいて、この電圧は、アドレッシングの準備ができるまで、ディスプレイ10のChLCをホメオトロピック状態に保持する。
【００２６】
選択相80は、1つの第1パターン化導体と全ての第2パターン化導体との交差に関連する1つの画素群を選択時間Tsにわたってアドレッシングすることにより、達成することができる。選択時間Tsの経過後、異なる第1パターン化導体と全ての第2パターン化導体との交差に関連する別の画素群を、第2の選択時間Tsにわたってアドレッシングすることができる。選択相80中に、ディスプレイ10の画素の最終状態が決定される。選択相は、全ての第1パターン化導体20上で、全てがアドレッシングされるまで個別に生じる。選択相80の後、選択後相90が始まる。
【００２７】
選択相80中にディスプレイ10のChLCがホメオトロピック状態に保持されたならば、選択後相において、ディスプレイ10のChLCはホメオトロピック状態に保持することができる。選択相80中にディスプレイ10のChLCがホメオトロピック状態から一時プレーナー状態に弛緩することが可能であったならば、選択後相90は、ディスプレイ10のChLCがフォーカルコニック状態に旋回するのを可能にすることができる。選択後相の電圧波形はU/√2のRMS電圧を有する。
【００２８】
選択後相90後、旋回相100は、一時プレーナー状態であってよいディスプレイ10の任意のコレステリック液晶が、旋回時間Tev全体にわたって、フォーカルコニック状態に旋回するのを可能にする。最終的な第1導体のための旋回相100が完了した後、ディスプレイ10から全ての電力を除去することができる。書き込みプロセス全体を通してホメオトロピック状態に保持されたディスプレイ10のいずれのChLCも弛緩して、一時プレーナー状態を介して安定プレーナー状態になることができる。
【００２９】
選択相80においてグレースケールを達成することができる。図6に示されているように、選択時間Tsは複数のサブ選択110に分けられる。選択相80は、任意の数nによって細分することができる。nは1以上でなければならない。いずれのサブ選択110中でも、パターン化導体の任意の画素のための電圧波形は、0V又はUの電圧を有することができる。全選択時間Ts中で、0電圧又はU電圧の2n通りの異なる組み合わせが存在し得る。サブ選択パルス幅は、等しい時間細分を有することができ、或いは、異なる時間細分を有することもできる。ChLCに印加される0V及びUのパルスの異なるパターンにより、ホメオトロピック状態から一時プレーナー状態へのChLCの固有弛緩を変化させることができる。例えば、ChLCが一時プレーナー状態に弛緩しつつある間に電圧Uを周期的に印加することにより、選択相80中にホメオトロピック状態に向かってコレステリック液晶を駆動することができる。選択相80の終了時に、ディスプレイ10のChLCのドメインは、0V及びUの印加の組み合わせによって一時プレーナー状態にあることが可能である。一時プレーナー状態にあるドメインは、選択後相90又は旋回相100中にフォーカルコニック状態に旋回することができる。グレースケール・レベルは、安定プレーナー状態又はフォーカルコニック状態にある、狭い間隔を置いて配置されたChLCドメインの数によって知覚される。
【００３０】
図7aは、第1パターン化導体20及び第2パターン化導体40に印加することができる、準備相60に対応する印加波形例を示すダイヤグラムである。合成画素波形は、画素電圧が+Uと-Uとの間で交互に生じることを示すが、RMS電圧はUである。図7bは、第1パターン化導体20及び第2パターン化導体40に印加することができる、旋回相100に対応する印加波形例を示すダイヤグラムである。合成画素波形は、画素電圧がU/√2であることを示す。図7cは、選択前相70、選択相80、及び選択後相90に関して第1パターン化導体20及び第2パターン化導体40に印加することができる印加波形例を示すダイヤグラムである。この例の場合、選択相80は、2つのサブ選択相110に分割されている。
【００３１】
上記駆動スキームにおいて使用される電圧は単極ドライバー又は双極ドライバーを使用して形成することができる。或る特定の実施態様によれば、ドライバーのコスト及び複雑さを低減するために、単極ドライバーが使用される。
【００３２】
ここに記載された方法は、実施が縮小されている。下記のものは、図6に例示された2n法(nは5である)を用いて、等間隔及び不等間隔のサブ選択パルスに関して得られた値である。16個のグレースケール・レベルが達成された。これらの結果はそれぞれ図8及び図9にグラフで示されている。値は、サブ選択の二進法表示である。「1」はUの波形を示し、「0」は0Vの波形を示す。例えば二進法における「15」の値は、「01111」である。
【００３３】
【表１】
2007537488.tif 000003
【００３４】
【表２】
2007537488.tif 000004
【００３５】
或る特定の好ましい実施態様を具体的に参照しながら、本発明を詳細に説明してきたが、言うまでもなく、本発明の思想及び範囲内で変更及び改変を加えることができる。
【図面の簡単な説明】
【００３６】
本発明は、下記一例として示す図面を参照しながら理解することができる。
【図１Ａ】図1Aは、3相動的駆動スキーム(従来技術)である。
【図１Ｂ】図1Bは、5相動的駆動スキーム(従来技術)である。
【図１Ｃ】図1Cは、U/√2動的駆動スキームの相ダイヤグラム(従来技術)である。
【図１Ｄ】図1Dは、U/√2動的駆動スキーム(従来技術)を示す。
【図２】図2は、コレステリック液晶ディスプレイを示す斜視図である。
【図３Ａ】図3Aは、光を反射させるプレーナー状態におけるコレステリック液晶材料を示す概略図である。
【図３Ｂ】図3Bは、光を前方に向かって散乱させるフォーカルコニック状態におけるコレステリック液晶材料を示す概略図である。
【図３Ｃ】図3Cは、光を透過させるホメオトロピック状態におけるコレステリック液晶材料を示す概略図である。
【図３Ｄ】図3Dは、パルス化電圧に対するコレステリック液晶材料の反射応答を示すプロットである。
【図４】図4は、別個の行及び列ドライバーを有するシステム・ダイヤグラムである。
【図５】図5は、共通の行及び列ドライバーを有するシステム・ダイヤグラムである。
【図６】図6は、選択相を分解した状態で示す、駆動スキームの相ダイヤグラムである。
【図７ａ】図7aは、本発明の準備相中の、行波形、列波形、及び合成画素波形を示す図である。
【図７ｂ】図7bは、本発明の旋回相中の、行波形、列波形、及び合成画素波形を示す図である。
【図７ｃ】図7cは、本発明の選択前相、選択相、選択後相中の、行波形、列波形、及び合成画素波形を示す図である。
【図８】図8は、等しいサブ選択パルス幅を有する16個の種々の反射率レベルを示すグラフである。
【図９】図9は、等しくないサブ選択パルス幅を有する16個の種々の反射率レベルを示すグラフである。
【符号の説明】
【００３７】
１    準備ステップ
２    選択ステップ
３    旋回ステップ
４    保持前ステップ
５    保持後ステップ
１０    ディスプレイ
１５    基板
２０    第１パターン化導体
２２    プレーナー状態
２４    フォーカルコニック状態
２５    ホメオトロピック状態
２６    入射光
２７    前方に向かって散乱させられる光
２８    反射光
２９    透過光
３０    ポリマー分散型コレステリック材料
４０    第２パターン化導体
６０    準備相
７０    選択前相
８０    選択相
９０    選択後相
１００    旋回相
１１０    サブ選択パルス
１５０    データ・インターフェース
１５５    コントローラー
１６０    行ドライバー
１６７    相互接続部
１８５    列ドライバー
１９０    電源
１９５    電圧発生器
２００    共通のドライバー
【図１Ａ】
2007537488.tif 000005
【図１Ｂ】
2007537488.tif 000006
【図１Ｃ】
2007537488.tif 000007
【図１Ｄ】
2007537488.tif 000008
【図２】
2007537488.tif 000009
【図３Ａ】
2007537488.tif 000010
【図３Ｂ】
2007537488.tif 000011
【図３Ｃ】
2007537488.tif 000012
【図３Ｄ】
2007537488.tif 000013
【図４】
2007537488.tif 000014
【図５】
2007537488.tif 000015
【図６】
2007537488.tif 000016
【図７ａ】
2007537488.tif 000017
【図７ｂ】
2007537488.tif 000018
【図７ｃ】
2007537488.tif 000019
【図８】
2007537488.tif 000020
【図９】
2007537488.tif 000021
【国際調査報告】
2007537488.tif 000022
2007537488.tif 000023
2007537488.tif 000024